(57)【要約】【課題】本発明は、求人事業主の地理上の位置と、対応する求人情報、更には求人事業主の詳細情報を簡略操作にて速やかに把握できる求人・求職情報支援システムを提供する。【解決手段】本発明の求人・求職情報支援システムは、位置情報を含む求人情報を発信する任意数の求人事業主装置１と、求人・求職情報処理装置１０と、コンピュータ端末３０と、インターネット網５とを含み、求人・求職情報処理装置１０は、コンピュータ端末３０からの送信要求が有った場合に、求人事業主の位置を示すアイコンを求職者の一定範囲の地図情報中の該当箇所に付加した提供地図情報と、対応する求人情報をリストアップしたリスト欄と、求人事業主の求人情報を表示する特別枠とを有する地図付求人画面情報を編集する求人画面情報編集手段２２と、コンピュータ端末３０への送信処理を行うサーバ端末２３と、を有する構成としたものである。【選択図】図１
2007128490.tif 000002
【特許請求の範囲】
【請求項１】
求職者が求職者端末を使用し、簡略、かつ、速やかに求職者の一定範囲に存在する求人事業主の地理上の位置と、対応する求人情報、求人事業主の詳細情報を、簡略、速やかに把握し確認できるようにした求人・求職情報支援システムであって、
任意数の求人情報を格納する求人情報データベースと、
地図情報を格納する地図情報データベースと、
求職者端末からの送信要求が有った場合に、求職者の一定範囲の地図情報を地図情報データベースから抽出するとともに、求職者の一定範囲に属する求人事業主の位置情報を含む求人情報を求人情報データベースから抽出し、個々の求人事業主に対応する位置情報指標を抽出した求職者の一定範囲の地図情報中の該当箇所に付加した提供地図情報と、前記位置情報指標に関連付けた任意数の求人事業主に係る求人情報をリストアップしたリスト欄と、求職者側の位置情報指標に対する検索操作に応じて対応する求人事業主の求人情報を表示する特別枠とを、区分けして合成した地図付求人画面情報を編集する求人画面情報編集手段と、
求職者端末からの送信要求の受信処理及び前記地図付求人画面情報の求職者端末への送信処理を行う手段と、
を有する求人・求職情報処理装置と、
前記求人・求職情報処理装置への求人情報の送信要求を行うとともに前記地図付求人画面情報を受信し表示する求職者側の求職者端末と、
前記求人・求職情報処理装置、求職者側の求職者端末間の情報通信を行う通信網と、
を具備することを特徴とする求人・求職情報支援システム。
【請求項２】
求職者が求職者端末を使用し、簡略、かつ、速やかに求職者の一定範囲に存在する求人事業主の地理上の位置と、対応する求人情報、求人事業主の詳細情報を、簡略、速やかに把握し確認できるようにした求人・求職情報支援システムであって、
位置情報を含む求人情報を発信する任意数の求人事業主装置と、
任意数の求人事業主装置からの求人情報を受信して格納する求人情報データベースと、
地図情報を格納する地図情報データベースと、
求職者端末からの送信要求が有った場合に、求職者の一定範囲の地図情報を地図情報データベースから抽出するとともに、求職者の一定範囲に属する求人事業主の位置情報を含む求人情報を求人情報データベースから抽出し、個々の求人事業主に対応する位置情報指標を抽出した求職者の一定範囲の地図情報中の該当箇所に付加した提供地図情報と、前記位置情報指標に関連付けた任意数の求人事業主に係る求人情報をリストアップしたリスト欄と、求職者側の位置情報指標に対する検索操作に応じて対応する求人事業主の求人情報を表示する特別枠とを、区分けして合成した地図付求人画面情報を編集する求人画面情報編集手段と、
求職者端末からの送信要求の受信処理及び前記地図付求人画面情報の求職者端末への送信処理を行う手段と、
を有する求人・求職情報処理装置と、
求人・求職情報処理装置への求人情報の送信要求を行うとともに前記地図付求人画面情報を受信し表示する求職者側の求職者端末と、
前記求人事業主装置、求人・求職情報処理装置間、求職者端末、求人・求職情報処理装置間の情報通信を行う通信網と、
を具備することを特徴とする求人・求職情報支援システム。
【請求項３】
求職者が求職者端末を使用し、簡略、かつ、速やかに求職者の一定範囲に存在する求人事業主の地理上の位置と、対応する求人情報、求人事業主の詳細情報を、簡略、速やかに把握し確認できるようにした求人・求職情報支援システムであって、
位置情報を含む求人情報を発信する任意数の求人事業主装置と、
任意数の求人事業主装置からの求人情報を受信して格納する求人情報データベースと、
地図情報を格納する地図情報データベースと、
求職者端末からの送信要求が有った場合に、予め求職者データベースに登録した当該求職者の所在地情報又は求職者端末から送信される当該求職者の所在地情報を基にして、当該所在地を含む求職者の一定範囲の地図情報を地図情報データベースから抽出する地図情報注出手段と、
求職者端末からの送信要求が有った場合に、求職者の一定範囲に含まれる任意数の求人事業主に係る求人情報を前記求人情報データベースから抽出する求人情報抽出手段と、
求職者端末からの送信要求が有った場合に、個々の求人事業主に対応する位置情報指標を抽出した求職者の一定範囲の地図情報中の該当箇所に付加した提供地図情報と、前記位置情報指標に関連付けた任意数の求人事業主に係る求人情報をリストアップしたリスト欄と、求職者側の位置情報指標に対する検索操作に応じて対応する求人事業主の求人情報を表示する特別枠とを、区分けして合成した地図付求人画面情報を編集する求人画面情報編集手段と、
求職者端末からの送信要求の受信処理及び前記地図付求人画面情報の求職者端末への送信処理を行う手段と、
を有する求人・求職情報処理装置と、
求人・求職情報処理装置への求人情報の送信要求を行うとともに前記地図付求人画面情報を受信し表示する求職者側の求職者端末と、
前記求人事業主装置、求人・求職情報処理装置間、求職者端末、求人・求職情報処理装置間の情報通信を行う通信網と、
を具備することを特徴とする求人・求職情報支援システム。
【請求項４】
求職者が求職者端末を使用し、簡略、かつ、速やかに求職者の一定範囲に存在する求人事業主の地理上の位置と、対応する求人情報、求人事業主の詳細情報を、簡略、速やかに把握し確認できるようにした求人・求職情報支援システムであって、
位置情報を含む求人情報、詳細情報を発信する任意数の求人事業主装置と、
任意数の求人事業主装置からの求人情報、詳細情報を受信して格納する求人情報データベースと、
地図情報を格納する地図情報データベースと、
店舗、公共機関、医療機関、福祉施設、保育施設等の生活関連情報を格納する生活関連情報データベースと、
求職者端末からの送信要求が有った場合に、予め求職者データベースに登録した当該求職者の所在地情報又は求職者端末から送信される当該求職者の所在地情報を基にして、当該所在地を含む求職者の一定範囲の地図情報を地図情報データベースから抽出する地図情報注出手段と、
求職者端末からの送信要求が有った場合に、求職者の一定範囲に含まれる任意数の求人事業主に係る求人情報、詳細情報を前記求人情報データベースから抽出する求人情報抽出手段と、
求職者端末からの送信要求が有った場合に、生活関連情報データベースから前記求職者の一定範囲に含まれる生活関連情報を抽出する生活関連情報抽出手段と、
求職者端末からの送信要求が有った場合に、個々の求人事業主に対応する位置情報指標を抽出した求職者の一定範囲の地図情報中の該当箇所に付加した提供地図情報と、前記位置情報指標に関連付けた任意数の求人事業主に係る求人情報をリストアップしたリスト欄と、求職者側の位置情報指標に対する検索操作に応じて対応する求人事業主の求人情報、詳細情報を表示する特別枠と、前記生活関連情報を表示する共通枠とを、区分けして合成した地図付求人画面情報を編集するとともに、前記地図付求人画面情報における位置情報指標への検索操作に応じたリスト欄の自動スクロール編集、提供地図情報に対する位置情報指標及びリスト欄へ求人情報の特定事業主限定表示編集、地図付求人画面情報の雇用形態別の切り替え表示編集を行う求人画面情報編集手段と、
求職者端末からの送信要求の受信処理及び前記地図付求人画面情報の求職者端末への送信処理を行う手段と、
を有する求人・求職情報処理装置と、
求人・求職情報処理装置への求人情報の送信要求を行うとともに前記地図付求人画面情報を受信し表示する求職者側の求職者端末と、
前記求人事業主装置、求人・求職情報処理装置間、求職者端末、求人・求職情報処理装置間の情報通信を行う通信網と、
を具備することを特徴とする求人・求職情報支援システム。
【請求項５】
求職者が求職者端末を使用し、簡略、かつ、速やかに求職者の一定範囲に存在する求人事業主の地理上の位置と、対応する求人情報、求人事業主の詳細情報を、簡略、速やかに把握し確認できるようにした求人・求職情報支援システムであって、
位置情報を含む求人情報、詳細情報を発信する任意数の求人事業主装置と、
任意数の求人事業主装置からの求人情報、詳細情報を受信して格納する求人情報データベースと、
地図情報を格納する地図情報データベースと、
店舗、公共機関、医療機関、福祉施設、保育施設等の生活関連情報を格納する生活関連情報データベースと、
求職者端末からの送信要求が有った場合に、予め求職者データベースに登録した当該求職者により指定されている複数箇所の所在地情報を基にして、当該複数箇所の所在地を含む求職者の一定範囲ずつの地図情報を地図情報データベースから抽出する地図情報注出手段と、
求職者端末からの送信要求が有った場合に、求職者の一定範囲ずつの所在地に各々含まれる任意数の求人事業主に係る求人情報、詳細情報を前記求人情報データベースから抽出する求人情報抽出手段と、
求職者端末からの送信要求が有った場合に、生活関連情報データベースから前記求職者の一定範囲ずつに各々含まれる生活関連情報を抽出する生活関連情報抽出手段と、
求職者端末からの送信要求が有った場合に、個々の求人事業主に対応する位置情報指標を抽出した求職者の一定範囲の地図情報中の該当箇所に各々付加した複数の提供地図情報と、前記各位置情報指標に各々関連付けた任意数の求人事業主に係る求人情報をリストアップしたリスト欄と、求職者側の位置情報指標に対する検索操作に応じて対応する求人事業主の求人情報、詳細情報を表示する特別枠と、前記生活関連情報を表示する共通枠とを、区分けして合成した地図付求人画面情報を前記複数箇所の所在地別に編集する求人画面情報編集手段と、
求職者端末からの送信要求の受信処理及び前記複数箇所の所在地別の地図付求人画面情報の求職者端末への送信処理を行う手段と、
を有する求人・求職情報処理装置と、
求人・求職情報処理装置への求人情報の送信要求を行うとともに前記複数箇所の所在地別の地図付求人画面情報を受信し表示する求職者側の求職者端末と、
前記求人事業主装置、求人・求職情報処理装置間、求職者端末、求人・求職情報処理装置間の情報通信を行う通信網と、
を具備することを特徴とする求人・求職情報支援システム。
【請求項６】
求職者が求職者端末を使用し、簡略、かつ、速やかに求職者の一定範囲に存在する求人事業主の地理上の位置と、対応する求人情報、求人事業主の詳細情報を、簡略、速やかに把握し確認できるようにした求人・求職情報支援システムであって、
位置情報を含む求人情報を発信する任意数の求人事業主装置と、
求人・求職情報の処理を行う求人・求職情報処理装置と、
ＧＰＳ機能を有する求職者側の携帯通信端末と、
前記求人事業主装置、求人・求職情報処理装置間、携帯通信端末、求人・求職情報処理装置間の情報通信を行う通信網と、
を有し、
前記求人・求職情報処理装置は、
任意数の求人事業主装置からの求人情報を受信して格納する求人情報データベースと、
地図情報を格納する地図情報データベースと、
携帯通信端末からの求人検索が有った場合に、求人情報データベースに格納した求人情報を読み出し雇用形態別、エリア別、仕事ジャンル別、職業別等に編集して検索結果情報とするとともに、携帯通信端末からの要求に応じて求人事業主装置の位置を含む地図情報の編集を行う求人画面情報編集手段と、
求人画面情報編集手段の編集結果を携帯通信端末へ送信処理する手段と、
を有し、
前記携帯通信端末は、求人・求職情報処理装置から取得する地図情報とＧＰＳ機能とに基づき前記求人事業主装置までのルート案内情報を作成できるようにしたことを特徴とする求人・求職情報支援システム。
【発明の詳細な説明】
【技術分野】
【０００１】
本発明は、求人・就職情報支援システムに関し、詳しくは、求人事業主の地理上の位置と求人情報との比較検討性に優れた斬新な求人・就職情報支援システムに関するものである。
【背景技術】
【０００２】
近年の情報通信技術の発展に伴ってインターネット網等を利用した求人・求職情報システムが種々提案されている。
【０００３】
例えば、求職者のコンピュータ端末からインターネット網を介しての送信要求に応じて、求人・求職情報処理装置が一定範囲の地図情報に任意数の求人事業主の地理上の位置を示すアイコンを付した編集地図情報と、アイコンに関連付けた当該求人事業主に係る求人情報とを別枠で編集し、これらの情報をインターネット網を介して当該コンピュータ端末に送信して求職者に提供する求人・求職情報システムが提案されている。
【０００４】
しかし、このような求人・求職情報システムの場合、求人事業主の地理上の位置と、求人情報の概略とを把握し得るに止まるものであり、求人事業主の地理上の位置と、求人情報との比較検討性に乏しい。
【０００５】
また、求職者のコンピュータ端末からインターネット網を介しての送信要求に応じて、求人・求職情報処理装置が一定範囲の地図情報に任意数の求人事業主の地理上の位置を示すアイコンを付した編集地図情報のみを編集し、この情報をインターネット網を介して当該コンピュータ端末に送信して求職者に提供する求人・求職情報システムが提案されている。
【０００６】
しかし、この求人・求職情報システムの場合、求人事業主の地理上の位置の把握のみに限れるものであり、やはり求人事業主の地理上の位置と、求人情報との比較検討性に乏しい。
【０００７】
特許文献１には、地図情報に求職者の勤務先選択情報を関連付け、勤務先選択情報に対応する求人企業の位置情報（マーク）を付加した編集地図情報を作成して、編集地図情報と求人情報の概略とを当該求職者の情報端末に提供するように構成した就職サポートシステムが提案されている。
【０００８】
しかし、この特許文献１に係る就職サポートシステムの場合も、上述した場合と同様、求人企業の地理上の位置と、求人情報の概略とを把握し得るに止まるものであり、求人事業主の地理上の位置と、求人情報との比較検討性に乏しい。
【特許文献１】特開２００２−２５９６１０号公報
【発明の開示】
【発明が解決しようとする課題】
【０００９】
本発明が解決しようとする問題点は、求職者の一定範囲（例えば自宅近く）の求人事業主の地理上の位置と、対応する求人情報、更には求人事業主の詳細情報を簡略操作にて速やかに把握でき、また求人事業主が存在する地理上の位置へのルート把握も容易な求人・求職情報システムが存在しない点である。
【課題を解決するための手段】
【００１０】
本発明に係る求人・就職情報支援システムは、位置情報を含む求人情報を発信する任意数の求人事業主装置と、この任意数の求人事業主装置からの求人情報を受信して格納する求人情報データベースと、地図情報を格納する地図情報データベースと、求職者端末からの送信要求が有った場合に、求職者の一定範囲の地図情報を地図情報データベースから抽出するとともに、求職者の一定範囲に属する求人事業主の位置情報を含む求人情報を求人情報データベースから抽出し、個々の求人事業主に対応する位置情報指標を抽出した求職者の一定範囲の地図情報中の該当箇所に付加した提供地図情報と、前記位置情報指標に関連付けた任意数の求人事業主に係る求人情報をリストアップしたリスト欄と、求職者側の位置情報指標に対する検索操作に応じて対応する求人事業主の求人情報を表示する特別枠とを、区分けして合成した地図付求人画面情報を編集する求人画面情報編集手段と、求職者端末からの送信要求の受信処理及び前記地図付求人画面情報の求職者端末への送信処理を行う手段と、を有する求人・求職情報処理装置と、求人・求職情報処理装置への求人情報の送信要求を行うとともに前記地図付求人画面情報を受信し表示する求職者側の求職者端末と、前記求人事業主装置、求人・求職情報処理装置間、求職者端末、求人・求職情報処理装置間の情報通信を行う通信網と、を有することを最も主要な特徴とする。
【発明の効果】
【００１１】
本発明によれば、以下の効果を奏する。
請求項１乃至２記載の発明によれば、求職者端末からの送信要求があった場合に、求人・求職情報処理装置の求人画面情報編集手段が、求人事業主の位置情報指標を付加した求職者の一定範囲（例えば自宅近く等）の地図情報である提供地図情報と、対応する求人情報をリストアップしたリスト欄と、求人事業主の求人情報を表示する特別枠とを、区分けして合成した地図付求人画面情報を編集し、これを通信網を介して求職者端末に提供するものであるから、求職者は求職者端末を使用し、簡略、かつ、速やかに自己の求職者の一定範囲に存在する求人事業主の位置と、対応する求人情報とを比較検討性良く把握できる。
【００１２】
請求項３記載の発明によれば、求人・求職情報処理装置に、求人情報、地図情報、求職情報の各データべース、求人情報、地図情報、求職情報の夫々の抽出手段、前記求人画面情報編集手段を有する構成で、請求項１、２に係る発明の場合と同様な地図付求人画面情報を編集し、これを通信網を介して求職者端末に提供するものであるから、請求項１、２に係る発明の場合と同様、求職者は求職者端末を使用し、簡略、かつ、速やかに求職者の一定範囲に存在する求人事業主の位置と、対応する求人情報とを比較検討性良く把握できる。
【００１３】
請求項４記載の発明によれば、請求項３記載の発明と同様な効果を奏することに加え、地図付求人画面情報には前記求職者の一定範囲に存在する店舗、各種施設等の生活関連情報を表示した共通枠が付加されており、また、地図付求人画面情報における位置情報指標への検索操作に応じたリスト欄の自動スクロール処理、提供地図情報に対する位置情報指標及びリスト欄へ求人情報の特定事業主限定表示、地図付求人画面情報の雇用形態（パート、バイト等）別の切り替え処理も可能であるため、就業目的、環境が異なる種々の求職者に幅広く対応でき、また地域密着型で、操作性も良好な求人・就職情報支援システムを提供することができる。
【００１４】
請求項５記載の発明によれば、請求項３記載の発明と同様な効果を奏することに加え、特に、求人画面情報編集手段が求職者の希望に応じた複数箇所の地図付求人画面情報を提供するものであるから、求職者一人で複数箇所での求人検索を行ったり、同一家族の複数人で複数箇所の地図付求人画面情報を個別に利用して各々求人検索を行ったりというような多様な活用も可能な求人・就職情報支援システムを提供することができる。
【００１５】
請求項６記載の発明によれば、ＧＰＳ機能を有する求職者側の携帯通信端末を使用して、求人・求職情報処理装置にアクセスし、雇用形態別、エリア別、仕事ジャンル別、職業別等の求人検索を行ってその結果を取得したり、自己の現在地から目的の求人事業主の所在する位置までのルート案内情報を作成して、有効に活用できる求人・就職情報支援システムを提供することができる。
【発明を実施するための最良の形態】
【００１６】
本発明は、求職者の一定範囲に存在する求人事業主の地理上の位置と、対応する求人情報、更には求人事業主の詳細情報を簡略操作にて速やかに把握できる求人・就職情報支援システムを提供するという目的を、位置情報を含む求人情報、詳細情報を発信する任意数の求人事業主装置と、任意数の求人事業主装置からの求人情報、詳細情報を受信して格納する求人情報データベースと、地図情報を格納する地図情報データベースと、店舗、公共機関、医療機関、福祉施設、保育施設等の生活関連情報を格納する生活関連情報データベースと、求職者端末からの送信要求が有った場合に予め求職者データベースに登録した当該求職者の所在地情報又は求職者端末から送信される当該求職者の所在地情報を基にして、当該所在地を含む求職者の一定範囲の地図情報を地図情報データベースから抽出する地図情報注出手段と、求職者の一定範囲に含まれる任意数の求人事業主に係る求人情報、詳細情報を前記求人情報データベースから抽出する求人情報抽出手段と、生活関連情報データベースから前記求職者の一定範囲に含まれる生活関連情報を抽出する生活関連情報抽出手段と、個々の求人事業主に対応する位置情報指標を抽出した求職者の一定範囲の地図情報中の該当箇所に付加した提供地図情報と、前記位置情報指標に関連付けた任意数の求人事業主に係る求人情報をリストアップしたリスト欄と、求職者側の位置情報指標に対する検索操作に応じて対応する求人事業主の求人情報、詳細情報を表示する特別枠と、前記生活関連情報を表示する共通枠とを、区分けして合成した地図付求人画面情報を編集するとともに、前記地図付求人画面情報における位置情報指標への検索操作に応じたリスト欄の自動スクロール編集、提供地図情報に対する位置情報指標及びリスト欄へ求人情報の特定事業主限定表示編集、地図付求人画面情報の雇用形態別の切り替え表示編集を行う求人画面情報編集手段と、求職者端末からの送信要求の受信処理及び前記地図付求人画面情報の求職者端末への送信処理を行う手段と、を有する求人・求職情報処理装置と、求人・求職情報処理装置への求人情報の送信要求を行うとともに前記地図付求人画面情報を受信し表示する求職者側の求職者端末と、前記求人事業主装置、求人・求職情報処理装置間、求職者端末、求人・求職情報処理装置間の情報通信を行う通信網と、を有する構成により実現した。
【実施例】
【００１７】
（実施例１）
以下に、本発明の実施例１に係る求人・就職情報支援システムについて詳細に説明する。
【００１８】
本実施例１に係る求人・就職情報支援システムは、図１に示すように、地理上の位置情報（例えば、東京都渋谷区〇〇町××丁目△△番地□□号等）、求人内容情報を含む求人情報、詳細情報（例えば、求人事業主の事業内容、広告情報等）を発信する任意数（例えばＡ社、Ｂ社、Ｃ社・・・）の求人事業主装置１と、求人情報、求職情報の処理を行う求人・求職情報処理装置１０と、この求人・求職情報処理装置１０に対して求人情報の送信要求を行う求職者が所持する求職者端末としてのコンピュータ端末３０と、前記求人事業主装置１、求人・求職情報処理装置１０間の情報通信を行う専用通信回線又は一般通信回線から構成される求人事業主側通信網３と、前記コンピュータ端末３０、求人・求職情報処理装置１０間の情報通信を行う通信網であるインターネット網５と、を有している。
【００１９】
前記求人・求職情報処理装置１０は、前記各求人事業主装置１と求人事業主側通信網３を介して交信し、各求人事業主装置１が発信する個々の地理上の位置情報を含む求人情報、詳細情報を受信する求人受付サーバ１１と、前記求人情報に含まれる位置情報や、求職者の住所等の所在地情報を、各々地球上の経度情報、緯度情報に対応付けるための地理情報変換テーブル１２と、求人・求職情報処理装置１０におけるオペレータが前記地理情報変換テーブル１２を参照して求人情報に含まれる位置情報や、求職者の住所等の所在地情報と地球上の経度情報、緯度情報との対応付けを行う処理、求職者に送信するメール（電子メール）文の作成処理、その他種々の処理を行う処理端末１３と、を有している。
【００２０】
また、前記求人・求職情報処理装置１０は、求人受付サーバ１１で受信し処理端末１３にて地球上の経度情報、緯度情報に関連付けられた求人情報、詳細情報を求人事業主別に格納する求人情報データベース１４と、例えば日本全土、各都道府県、各市町村、東京２３区等の特別区等の予め経度・緯度情報に関連付けられた地図情報を各々抽出可能に格納する地図情報データベース１５と、各都道府県、各市町村、東京２３区等の特別区等の地図情報上の店舗、公共機関、医療機関、福祉施設、保育施設等に関する予め経度・緯度情報に関連付けられた位置や業務概要、識別マーク（例えば企業ロゴマーク）等からなる生活関連情報を各々抽出可能に格納する生活関連情報データベース１６と、前記処理端末１３にて地球上の経度情報、緯度情報に関連付けられた任意数の求職者の住所等の所在地情報、氏名、年齢等を含む求職者情報を会員情報として登録する求職者データベース１７と、を有している。
【００２１】
更に、前記求人・求職情報処理装置１０は、コンピュータ端末３０からの送信要求が有った場合に予め求職者データベース１７に登録した当該求職者の所在地情報を基にして、当該所在地を含む求職者の一定範囲（例えば当該所在地の近隣エリア）の地図情報を地図情報データベース１５から抽出する地図情報注出手段１８と、求職者の一定範囲に含まれる任意数の求人事業主に係る求人情報、詳細情報を前記求人情報データベース１４から抽出する求人情報抽出手段１９と、生活関連情報データベース１６から前記求職者の一定範囲に各々含まれる生活関連情報を抽出する生活関連情報抽出手段２０と、個々の求人事業主の位置を示す位置情報指標であるアイコンデータを格納したアイコン格納部２１を備え、求人情報データベース１４から抽出した前記求職者の一定範囲に含まれる任意数の求人事業主装置１の前記求職者の一定範囲の地図情報上の該当位置に各々図２に示すようにアイコンＭ（例えば番号付けにより区別可能とした人形マーク）を付加した提供地図情報３１と、前記各アイコンＭに各々関連付けた任意数の求人事業主に係る求人情報をリストアップしたリスト欄３２と、求職者側のアイコンＭに対する検索操作に応じて対応する求人事業主の求人情報、詳細情報を表示する特別枠３３と、前記生活関連情報を表示する共通枠３４とを、区分けして合成した図２に表示例として示す地図付求人画面情報を、予め格納した編集プログラムに基づいて編集する求人画面情報編集手段２２と、コンピュータ端末３０からの送信要求の受信処理及びコンピュータ端末３０への送信処理を行うサーバ端末２３と、を有している。
【００２２】
前記サーバ端末２３は、Ｗｅｂ（Ｗｏｒｌｄ  ｗｉｄｅ  Ｗｅｂ）サーバプログラムに基づくＷｅｂ（Ｗｏｒｌｄ  ｗｉｄｅ  Ｗｅｂ）サーバ機能、メールサーバプログラムに基づくメールサーバ機能等を備え、予め会員登録した求職者のログイン処理、新たな求職者に対する会員登録処理や、求職者側のコンピュータ端末３０との間でメールの送受信処理等を実行可能な構成としている。
【００２３】
ここで、図３−Ａを参照して、本実施例１の求人・就職情報支援システムにおける求職者による検索処理の基本的な流れについて概説する。
【００２４】
求職者側のコンピュータ端末３０から求人・求職情報処理装置１０のサーバ端末２３に対して、ＵＲＬ（Ｕｎｉｆｏｍ  Ｒｅｓｏｕｒｃｅ  Ｌｏｃａｔｏｒ）を指定し前記インターネット網５を介してアクセスすると、サーバ端末２３の動作でコンピュータ端末３０の画面には予め会員登録した求職者のログイン処理又は新たな求職者に対する会員登録処理用の画面が表示される。
【００２５】
求職者によるログイン処理又は会員登録処理が終了すると、コンピュータ端末３０の画面にはサーバ端末２３の動作で雇用形態別に検索可能な求職者総合トップ画面が表示される。
この場合の雇用形態別の例としては、パート、バイト、派遣、転職等を挙げることができ、これらの検索釦が色分け表示される。色分け表示は、例えばパートは黄色、バイトは緑色、派遣は赤色、転職は青色のように表示する例を挙げることができる。また、求職者総合トップ画面では、前記各雇用形態について、パートから派遣、派遣からバイトというように横断的に検索することも可能である。
【００２６】
新たな求職者が求職者総合トップ画面において、いずれかの雇用形態を選択すると、サーバ端末２３の動作で当該コンピュータ端末３０には雇用形態別にプロモーション画面が表示される。このプロモーション画面では、後述するエリア指定の解説や、求人・求職情報処理装置１０の諸機能解説（チュートリアル）のメッセージ、図表等が求職者に提供される。
【００２７】
一方、会員登録済みの求職者が求職者総合トップ画面においていずれかの雇用形態を選択すると、プロモーション画面は表示されず、サーバ端末２３の動作でコンピュータ端末３０には雇用形態別に地域指定トップ画面が表示される。新たな求職者がプロモーション画面から検索指定をした場合も同様にコンピュータ端末３０には雇用形態別の地域指定トップ画面が表示される。
【００２８】
地域指定トップ画面においては、雇用形態別に日本全土を大きくブロック分けした北海道・東北版、関東版、北陸・甲信越版、東海版、関西版、中国・四国版、九州・沖縄版用の各選択釦が表示され、これに続いて階層的に各ブロックに属する都道府県、市町村、東京２３区のような特別区等を選択するための地域指定第２画面が雇用形態別に各々表示される。
【００２９】
このようにして、求職者は、求人・求職情報処理装置１０にアクセスし、例えば自己の所在地の近隣地域等に属する求人事業主を検索し、検索結果を得る求人情報検索処理をオンラインで、かつ、簡略操作にて実行することができる。
また、上述した求職者総合トップ画面に一度アクセスした求職者に対しては２回目以降求職者総合トップ画面に誘導することなく、雇用形態及びエリアが指定された頁に直ちに誘導するような構成とすることもでき、このようにすれば、求職者はストレスなく求人情報検索処理を実行できる。
【００３０】
次に、図３−Ｂを参照して、本実施例１の求人・就職情報支援システムにおける求職者による検索処理の基本的な流れの別の例について概説する。
求職者側のコンピュータ端末３０から求人・求職情報処理装置１０のサーバ端末２３に対して、ＵＲＬ（Ｕｎｉｆｏｍ  Ｒｅｓｏｕｒｃｅ  Ｌｏｃａｔｏｒ）を指定し前記インターネット網５を介してアクセスすると、サーバ端末２３の動作でコンピュータ端末３０の画面には、求職者総合トップ画面が表示される。
予め会員登録した求職者の場合には、ログイン処理をもって、また、新たな求職者による場合には、会員登録処理が終了すると、会員専用ページが表示され、後記する図６に示すような各画面に移動できる。
また、新たな求職者が、本件求人・求職情報に関する外部のバナー広告（雇用形態別に作成）等をクリックして前記インターネット網５を介してアクセスすると、サーバ端末２３の動作で当該コンピュータ端末３０には広告の雇用形態に対応するプロモーション画面が表示される。このプロモーション画面では、後述するエリア指定の解説や、求人・求職情報処理装置１０の諸機能解説（チュートリアル）のメッセージ、図表等が求職者に提供される。
ログイン処理又は会員登録処理をしていない求職者に対するコンピュータ端末３０の画面には、サーバ端末２３の動作で雇用形態別に検索可能な地域指定トップ画面が表示される。すなわち、求職者が求職者総合トップ画面においていずれかの雇用形態を選択すると、サーバ端末２３の動作でコンピュータ端末３０には雇用形態別に地域指定トップ画面が表示される。
この場合の雇用形態別の例としては、パート、バイト、派遣、転職等を挙げることができ、これらの検索釦が色分け表示される。色分け表示は、例えばパートは黄色、バイトは緑色、派遣は赤色、転職は青色のように表示する例を挙げることができる。また、求職者総合トップ画面では、前記各雇用形態について、パートから派遣、派遣からバイトというように横断的に検索することも可能である。
【００３１】
地域指定トップ画面においては、雇用形態別に日本全土を大きくブロック分けした北海道・東北版、関東版、北陸・甲信越版、東海版、関西版、中国・四国版、九州・沖縄版用の各選択釦が表示され、これに続いて階層的に各ブロックに属する都道府県、市町村、東京２３区のような特別区等を選択するための地域指定第２画面が雇用形態別に各々表示される。
このようにして、求職者は、求人・求職情報処理装置１０にアクセスし、例えば自己の所在地の近隣地域等に属する求人事業主を検索し、検索結果を得る求人情報検索処理をオンラインで、かつ、簡略操作にて実行することができる。
また、上述した求職者総合トップ画面に一度アクセスした求職者に対しては２回目以降求職者総合トップ画面に誘導することなく、雇用形態及びエリアが指定された頁に直ちに誘導するような構成とすることもでき、このようにすれば、求職者はストレスなく求人情報検索処理を実行できる。
【００３２】
次に、本実施例１に係る求人・就職情報支援システムにおける基本的な機能に付いて図４乃至図６を参照して説明する。
実施例１の求人・就職情報支援システムによれば、前記求人・求職情報処理装置１０における求人画面情報編集手段２２、サーバ端末２３等を含む各要素の動作によって、求人情報データベース１４から抽出した求職者の所在地を含む求職者の一定範囲（自宅近く等）に含まれる任意数の求人事業主装置１、すなわち求人情報を発信している任意数の求人事業主の位置がアイコンＭにより区別可能（アイコンＭに連続番号を付す等）に表示された提供地図情報３１と、各アイコンＭに各々関連付けた任意数の求人事業主に係る求人情報をリストアップしたリスト欄３２と、求職者側のアイコンＭに対する検索操作に応じて対応する求人事業主の求人情報、詳細情報を表示する特別枠３３と、生活関連情報を表示する共通枠３４とを、区分けして合成した地図付求人画面情報が求職者側のコンピュータ端末３０にインターネット網５を介して送信され、図４に示すように表示される。
【００３３】
従って、求職者はコンピュータ端末３０の画面上において求人事業主の地図上の位置とリスト欄３２の対応する求人情報とを視覚検討性良く関連付けて把握することができる。
【００３４】
また、前記求人画面情報編集手段２２の編集プログラムに基づき、前記提供地図情報３１上のいずれかのアイコンＭをマウスオーバすることで該当する求人情報が前記特別枠３３にフォーカスされるように編集して求職者側のコンピュータ端末３０に送信することにより、求職者はコンピュータ端末３０の画面上において求人事業主の地図上の位置と対応する求人情報とを一層視覚検討性良く関連付けて把握することができる。
【００３５】
更に、前記求人画面情報編集手段２２の編集プログラムに基づき、前記アイコンＭを含む提供地図情報３１を求職者によるドラッグ処理に応じて連続スクロール可能に編集し、これに連動してリスト欄３２の内容変更、共通枠３４の内容変更を行った地図付求人画面情報を編集して、求職者側のコンピュータ端末３０にインターネット網５を介して送信し、表示するようにする機能を付加することができる。
【００３６】
また、前記求人画面情報編集手段２２の編集プログラムに基づき、求職者によるマウス操作でリスト欄３２の求人情報からその詳細情報をポップアップし得るように編集したり、リスト欄３２の求人情報に対する求職者によるマウス操作で求人応募フォームを表示するように編集する機能を付加することができる。
【００３７】
本実施例１に係る求人・就職情報支援システムの別の基本的機能について図５を参照して説明する。
【００３８】
この求人・就職情報支援システムによれば、前記求人・求職情報処理装置１０における求人画面情報編集手段２２、サーバ端末２３等を含む各要素の動作によって、既述したように、店舗、公共機関、医療機関、福祉施設、保育施設等に関する予め経度・緯度情報に関連付けられた位置や業務概要、識別マーク（例えば企業のロゴマークＬＭ）等からなる生活関連情報を表示する共通枠３４を含む地図付求人画面情報が求職者側のコンピュータ端末３０にインターネット網５を介して送信され、図５に示すように表示される。
【００３９】
これにより、例えば求職者である家庭の主婦等が自他付近でパートタイマー等の就業目的で前記求人・求職情報処理装置１０にアクセスした場合に、上述した場合と同様に求人情報を検索できることに加え、買物、育児等に必要な生活関連情報も併せて把握することが可能となり、利便性の向上を図ることができるとともに、本実施例１の求人・就職情報支援システムにより、社会貢献の一旦を担うことができる。
【００４０】
次に、本実施例１に係る求人・就職情報支援システムにおいて、会員専用に特化した基本的機能について図６を参照して説明する。この場合には、前記求人・求職情報処理装置１０における求人画面情報編集手段２２によって、予め会員登録した求職者に対して登録会員専用ページを提供する機能である。
【００４１】
すなわち、求人画面情報編集手段２２により、図４に示す場合と同様な地図付求人画面情報の編集を、予め会員が指定した複数のエリア毎、例えば自宅近く或いは学校近く、隣町等というような３エリア毎に各々編集して３つの地図付求人画面情報とし、これを求職者側のコンピュータ端末３０にインターネット網５を介して送信し図６に示すように表示し、また、コンピュータ端末３０に検索画面として保存可能としたものである。
【００４２】
この場合のコンピュータ端末３０における表示形態は、マルチ画面方式、個別画面方式のいずれでも可能であることは言うまでもない。
【００４３】
このような機能により、一人の求職者である会員が３種の検索ページを保有して、自宅近く、学校近く又は隣町という３エリアに関して効率良く求人情報の検索を実行することが可能になるとともに、３種の検索ページに基づいて求人・求職情報処理装置１０からワンクリックで最新の求人情報を取得することが可能となり、利便性が一層向上する。
【００４４】
また、３種の検索ページを３人兄弟等で一つずつ個別に保有して各々が求人情報の検索を実行することもでき、本実施例１に係る求人・就職情報支援システムの活用形態の多様化を図ることが可能となる。
【００４５】
次に、図７乃至図１５を参照して本実施例１に係る求人・就職情報支援システムの他の機能に付いて説明する。なお、図７乃至図１５に示す地図付求人画面は、西武鉄道（株）、西武池袋線練馬駅近辺の状況を一例として示すものであり、図７に示す地図付求人画面を基本画面として以下の説明を行う。
【００４６】
本実施例１に係る求人・就職情報支援システムにおいて、求職者により西武池袋線練馬駅近辺のエリアが指定されると、前記求人・求職情報処理装置１０は、図７に示すように、既述した場合と同様な提供地図情報３１、リスト欄３２、特別枠３３及び共通枠３４を含む地図付求人画面情報を編集し、コンピュータ端末３０にインターネット網５を介して送信し図７に示すように表示する。
【００４７】
この場合において、前記求人画面情報編集手段２２は、編集プログラムに基づき、図８に示すように、地図付求人画面情報を拡大編集する機能、図９乃至図１２に示すように、雇用形態別の地図付求人画面情報を編集する機能を有している。
【００４８】
図９は、地図付求人画面中の表示切替欄において、雇用形態のうちの「転職」を選択した場合の地図付求人画面の表示例を示し、図１０は雇用形態のうちの「パート」を選択した場合の地図付求人画面の表示例を示し、図１１は雇用形態のうちの「バイト」を選択した場合の地図付求人画面の表示例を示し、図１２は雇用形態のうちの「こだわらない」を選択した場合の地図付求人画面の表示例を示している。
【００４９】
このような機能により、個々の求職者が所望する雇用形態別の求人情報検索に容易に対応でき、また、求職者はマウス操作にて自己が希望する雇用形態に関する求人情報検索を簡略に実行できる。
【００５０】
次に、図１３乃至図１５を参照して本実施例１に係る求人・就職情報支援システムの更なる機能について説明する。
【００５１】
図１３は、前記求人画面情報編集手段２２が編集プログラムに基づいて、地図付求人画面のリスト欄３２の［２］の求人情報欄にマウスポインタＰを移動した際に、［２］の求人情報欄が拡大表示されるとともに、提供地図情報３１上の［２］の求人情報に対応するアイコンＭを、例えば点滅させるように編集したものである。このような機能により、リスト欄３２の求人情報の把握とその求人情報を発信している企業等の提供地図情報３１上での位置とを視認性良く把握できる。
【００５２】
図１４は、前記求人画面情報編集手段２２が編集プログラムに基づいて、図７に示す基本画面の状態から、マウスポインタＰを［１８］のアイコンＭの位置に移動した際に、その近傍に、例えば「東京○○」の文字が表示され、かつ、リスト欄３２が自動スクロールし［１８］のアイコンＭに対応する［１８］の求人情報（例えば「東京○○」）がリスト欄３２に明確に表示されるように編集したものである。このような機能により、求職者の一定範囲のエリアを表す提供地図情報３１上に存在する特定の企業等の位置とその求人情報を視覚検討性良く把握できる。
【００５３】
図１５は、前記求人画面情報編集手段２２が編集プログラムに基づいて、図７に示す基本画面の状態から、特別枠３３に表示される企業「ＡＡＡＡＡ」の欄をクリックした場合に、リスト欄３２に提供地図情報３１上に含まれる複数のＡＡＡＡＡの各求人情報を、提供地図情報３１上に対応する複数の「Ａ」のみのロゴマークＬＭを各々限定的に表示されるように編集したものである。このような機能により、特別枠３３に対する操作で求職者の一定範囲のエリアを表す提供地図情報３１上に存在する特定の企業等の複数の位置とその各求人情報とを対応付けて一覧的に視覚検討性良く把握できる。
【００５４】
図１６は、前記求人画面情報編集手段２２が編集プログラムに基づいて、図７に示す基本画面の状態から、図１６に示すように、共通枠３４に表示される企業「ＤＤＤＤＤ」の欄をクリックした場合に、リスト欄３２に提供地図情報３１上に含まれる複数のＤＤＤＤＤに対応する各求人情報を、提供地図情報３１上に対応する複数の「Ｄ」のみのロゴマークＬＭを各々限定的に表示されるように編集したものである。このような機能により、共通枠３４に対する操作で、求職者の一定範囲のエリアを表す提供地図情報３１上に存在する特定の企業等の複数の位置とその各求人情報とを対応付けて一覧的に視覚検討性良く把握できる。なお、上記機能とともに、広告主の指定するホームページにリンクさせることもできる。
【００５５】
（実施例２）
次に、図１７を参照して本発明の実施例２に係る求人・就職情報支援システムについて説明する。本実施例２に係る求人・就職情報支援システムは、求職者端末として携帯通信端末（携帯電話）５０を使用する場合に適用するもである。
【００５６】
本実施例２に係る求人・就職情報支援システムは、基本的には実施例１の求人・就職情報支援システムに近似しているが、携帯電話網５１を介してインターネット網５に接続する携帯通信端末５０として通信衛星６０と交信し、発信位置（現在の位置）情報を取得するＧＰＳ（Ｇｌｏｂａｌ  Ｐｏｓｉｔｉｏｎｉｎｇ  Ｓｙｓｔｅｍ）機能を有するものを使用すること、前記求人・求職情報処理装置１０における求人画面情報編集手段２２に携帯通信端末５０用の編集プログラムを格納したこと、サーバ端末２３に携帯通信端末５０用のＷｅｂサーバプログラムを格納したことが特徴である。この他の構成は図１に示す実施例１の求人・就職情報支援システムと同様である。
【００５７】
次に、本実施例２に係る求人・就職情報支援システムの具体的使用態様について図１８乃至図３２を参照して具体的に説明する。
【００５８】
求職者が、携帯通信端末５０から携帯電話網５１、インターネット網５を介して、前記求人・求職情報処理装置１０にアクセスすると、サーバ端末２３の動作で携帯通信端末５０の画面には、図１８に示すような会員用トップメニューが表示される。
この会員用トップメニューにおいて、新たな求職者は、例えば、会員登録処理を、会員はログイン処理等を行う。ここで、会員がログイン処理を行った場合には、サーバ端末２３の動作で携帯通信端末５０の画面に図１８右欄に示す会員専用メニューが表示される。会員専用メニューにおいては、登録した検索条件での検索、希望する検索条件の登録等の処理が可能となる。
【００５９】
一方、会員用トップメニューにおいて、新たな求職者が会員登録処理を行った場合には、サーバ端末２３の動作で携帯通信端末５０の画面に図１９に示すエリア選択メニューが表示される。
ここで、求職者は、例えば「関東」のエリアを選択し、更に「東京」、「２３区」等のように順に小さいエリア選択を実行することになる。
【００６０】
図２０に「２３区」を選択した場合にサーバ端末２３の動作で携帯通信端末５０の画面に表示される総合エリアトップ画面を示す。この総合エリアトップ画面では、求職者はパート、バイト、派遣、転職、こだわらない（全て）の合計５種類の雇用形態（ワークスタイル）のいずれかを選択する。
【００６１】
この総合エリアトップ画面で、求職者が、パートを選択した場合に、サーバ端末２３の動作で携帯通信端末５０に表示されるパートエリアトップ画面を図２１に、求職者がバイトを選択した場合にサーバ端末２３の動作で携帯通信端末５０に表示されるバイトエリアトップ画面を図２２に、求職者が派遣を選択した場合にサーバ端末２３の動作で携帯通信端末５０に表示される派遣エリアトップ画面を図２３に、求職者が転職を選択した場合にサーバ端末２３の動作で携帯通信端末５０に表示される転職エリアトップ画面を図２４に、更に総合エリアトップ画面で、求職者がこだわらない（全て）を選択した場合にサーバ端末２３の動作で携帯通信端末５０に表示される全雇用形態エリアトップ画面を図２５に各々示す。
【００６２】
これら図２１乃至図２５に示す各エリアトップ画面においては、求職者は今日の新着、エリア探す、仕事から探す、特徴から探す、条件を指定して探す、駅名で探す、フリーキーワードで探す等の選択肢の中から所望する検索方法を指定することになる。
【００６３】
図２１乃至図２５に示す各エリアトップ画面にいずれかにおいて、求職者が今日の新着を指定した場合にサーバ端末２３の動作で携帯通信端末５０に表示される新着選択画面を図２６に示す。この新着選択画面においては、今日と昨日の２日間の新着情報を、雇用形態別に、かつ、数字による件数付けをした状態で表示される。
【００６４】
図２１に示すパートエリアトップ画面（パート  ２３区エリア）において、求職者がエリア選択を指定した場合に携帯通信端末５０に表示される２３区全域等のエリア選択画面を図２７の第１欄に、同じく求職者が仕事選択を指定した場合のフード系、販売系等の仕事ジャンル選択画面を図２７の第２欄に、同じく求職者が条件選択（例えば職種選択）を指定した場合のオフィスデスクワーク等の職種選択画面を図２７の第３欄に、同じく求職者が特徴選択を指定した場合の未経験者優遇、学生優遇などの特徴選択画面を図２７の第４欄に各々示す。これら各画面においては、各々の項目毎に求人の件数付けをした状態で表示される。
【００６５】
図２８は、実施例２の求人・求職情報処理装置１０により編集され、携帯通信端末５０に送信されて表示される検査結果一覧画面の一例を示すものである。この検査結果一覧画面においては、検索された検査結果件数、求人事業主に係る求人情報、絞り込みの操作欄、並べ替えの操作欄、応募用の操作欄、前、後等へのスクロール釦、検索条件登録釦、最大表示件数等が表示される。なお、この検査結果一覧画面は一例であり、種々のバリエーションが可能である。
【００６６】
図２９は、検査結果一覧画面から絞り込まれて携帯通信端末５０の画面に表示される詳細画面の一例を示すものである。この詳細画面においては、検査結果一覧画面に表示される求人情報の詳細が表示される。
すなわち、求人ＰＲ画面へリンクサさせた「キャッチコピー」の欄、求人情報を発信した事業主の企業名、求人の職種、仕事内容、募集人数、給与等の詳細情報、更には、応募方法検索釦、勤務地情報、地図等の情報取得釦等が表示される。
【００６７】
図３０は、図２９の検査結果一覧画面において、求職者が「キャッチコピー」の欄を操作した場合に携帯通信端末５０に表示される求人ＰＲ画面を示すものである。
この求人ＰＲ画面においては、求人ＰＲ、フリーＰＲのメッセージ、更には応募方法検索釦、勤務地情報、地図等の情報取得釦等が表示される。更には、求人事業主の例えば社屋等の写真にリンクする「写真を見る」釦も表示される。
【００６８】
図３１は、求職者が前記応募方法検索釦を操作した場合に、前記携帯通信端末５０に表示される当該求人情報に係る求人事業主への応募情報画面を示すものである。この応募情報画面を利用することで、求職者は携帯通信端末５０から当該求人事業主の求人に対する応募を行うことができ、履歴書の作成が不要となる利点がある。
【００６９】
図３２は、図２９の検査結果一覧画面において、求職者が勤務地情報・地図の取得釦を操作した場合に、本実施例２の求人・求職情報処理装置１０により編集され、携帯通信端末５０に送信されて表示される勤務地情報・地図の画面を示すものである。
【００７０】
この勤務地情報・地図の画面において、求職者が例えば勤務地Ａの欄を選択すると、求人・求職情報処理装置１０の求人画面情報編集手段２２は当該勤務地Ａの近辺の地図情報と、求人事業主の企業名、電話番号、住所の情報とを合成編集する。この編集された情報はサーバ端末２３から携帯通信端末５０に送信され図３２の第２欄に示すように表示される。これにより、求職者は、自己の携帯通信端末５０上に当該勤務地Ａに至る地図情報を取得することができる。
【００７１】
ここで、求職者が当該画面上で、「現在地で調べる」の欄を操作すると、携帯通信端末５０のＧＰＳ機能により、携帯通信端末５０の現在地から勤務地Ａに至る地図情報上に例えば図３２の第３欄に太線で示すルート表示が付加される。この結果、求職者はルート表示を利用することで前記勤務地Ａへ赴くことが極めて容易となる。
【００７２】
なお、携帯通信端末５０が、ＧＰＳ機能及び大容量地図記憶機能を有するものであれば、上述したルート表示の作成は携帯通信端末５０のみの操作で実現可能である。
【産業上の利用可能性】
【００７３】
本発明は、上述した求人・就職情報支援システムに適用する場合の他、例えば複数の店舗と、中央管理装置と、顧客端末とを通信網で接続し、商品のインターネット販売を行うような販売システム等にも適用可能である。
【図面の簡単な説明】
【００７４】
【図１】本発明の実施例１に係る求人・就職情報支援システムの全体構成を示す概略ブロック図である。
【図２】本実施例１に係る求人・就職情報支援システムにおけるコンピュータ端末に表示される地図付求人画面の代表例を示す図である。
【図３−Ａ】本実施例１に係る求人・就職情報支援システムにおける求職者側の求人検索処理の流れを示すフローチャートである。
【図３−Ｂ】本実施例１に係る求人・就職情報支援システムにおける求職者側の求人検索処理の流れを示す別例のフローチャートである。
【図４】本実施例１に係る求人・就職情報支援システムにおけるコンピュータ端末に表示される求職者の一定範囲の地図付求人画面を示す図である。
【図５】本実施例１に係る求人・就職情報支援システムにおけるコンピュータ端末に表示される求職者の一定範囲の地図付求人画面を示す図である。
【図６】本実施例１に係る求人・就職情報支援システムにおけるコンピュータ端末に表示される３エリアの地図付求人画面を示す図である。
【図７】本実施例１に係る求人・就職情報支援システムにおける他の機能を説明するための基本画面を示す図である。
【図８】図７に示す基本画面の一部を拡大した図である。
【図９】本実施例１に係る求人・就職情報支援システムにおいて表示切替欄で転職を選択した場合の地図付求人画面の表示例を示す図である。
【図１０】本実施例１に係る求人・就職情報支援システムにおいて表示切替欄でパートを選択した場合の地図付求人画面の表示例を示す図である。
【図１１】本実施例１に係る求人・就職情報支援システムにおいて表示切替欄でバイトを選択した場合の地図付求人画面の表示例を示す図である。
【図１２】本実施例１に係る求人・就職情報支援システムにおいて表示切替欄でこだわらないを選択した場合の地図付求人画面の表示例を示す図である。
【図１３】本実施例１に係る求人・就職情報支援システムの地図付求人画面において、リスト欄へマウスポインタを移動した場合の表示変化の説明図である。
【図１４】本実施例１に係る求人・就職情報支援システムの地図付求人画面において、地図上の特定のアイコンにマウスポインタを移動した場合の表示変化の説明図である。
【図１５】本実施例１に係る求人・就職情報支援システムの地図付求人画面において、特別枠をクリックした場合の表示変化の説明図である。
【図１６】本実施例１に係る求人・就職情報支援システムの地図付求人画面において、共通枠をクリックした場合の表示変化の説明図である。
【図１７】本発明の実施例２に係る求人・就職情報支援システムの全体構成を示す概略ブロック図である。
【図１８】本実施例２に係る求人・就職情報支援システムにおける携帯通信端末の画面に表示される会員用トップメニュー画面を示す図である。
【図１９】本実施例２に係る求人・就職情報支援システムにおける携帯通信端末の画面に表示されるエリア選択メニュー画面を示す図である。
【図２０】本実施例２に係る求人・就職情報支援システムにおける携帯通信端末の画面に表示される総合エリアトップ画面を示す図である。
【図２１】本実施例２に係る求人・就職情報支援システムにおける携帯通信端末の画面に表示されるパートエリアトップ画面を示す図である。
【図２２】本実施例２に係る求人・就職情報支援システムにおける携帯通信端末の画面に表示されるバイトエリアトップ画面を示す図である。
【図２３】本実施例２に係る求人・就職情報支援システムにおける携帯通信端末の画面に表示される派遣エリアトップ画面を示す図である。
【図２４】本実施例２に係る求人・就職情報支援システムにおける携帯通信端末の画面に表示される転職エリアトップ画面を示す図である。
【図２５】本実施例２に係る求人・就職情報支援システムにおける携帯通信端末の画面に表示される全雇用形態エリアトップ画面を示す図である。
【図２６】本実施例２に係る求人・就職情報支援システムにおける携帯通信端末の画面に表示される今日の新着選択画面を示す図である。
【図２７】本実施例２に係る求人・就職情報支援システムにおける携帯通信端末の画面に表示されるエリア、仕事ジャンル、職種、特徴の各選択画面を示す図である。
【図２８】本実施例２に係る求人・就職情報支援システムにおける携帯通信端末の画面に表示される検索結果一覧画面を示す図である。
【図２９】本実施例２に係る求人・就職情報支援システムにおける携帯通信端末の画面に表示される詳細画面を示す図である。
【図３０】本実施例２に係る求人・就職情報支援システムにおける携帯通信端末の画面に表示される詳細画面＞求人ＰＲ画面を示す図である。
【図３１】本実施例２に係る求人・就職情報支援システムにおける携帯通信端末の画面に表示される詳細画面＞応募情報画面を示す図である。
【図３２】本実施例２に係る求人・就職情報支援システムにおける携帯通信端末の画面に表示される詳細画面＞勤務地情報・地図画面を示す図である。
【符号の説明】
【００７５】
１  求人事業主装置
３  求人事業主側通信網
５  インターネット網
１０  求人・求職情報処理装置
１１  求人受付サーバ
１２  地理情報変換テーブル
１３  処理端末
１４  求人情報データベース
１５  地図情報データベース
１６  生活関連情報データベース
１７  求職者データベース
１８  地図情報注出手段
１９  求人情報抽出手段
２０  生活関連情報抽出手段
２１  アイコン格納部
２２  求人画面情報編集手段
２３  サーバ端末
３０  コンピュータ端末
３１  提供地図情報
３２  リスト欄
３３  特別枠
３４  共通枠
５０  携帯通信端末
５１  携帯電話網
６０  通信衛星
Ｍ  アイコン
Ｐ  マウスポインタ
ＬＭ  ロゴマーク
【図１】
2007128490.tif 000003
【図３−Ａ】
2007128490.tif 000004
【図３−Ｂ】
2007128490.tif 000005
【図１７】
2007128490.tif 000006
【図１８】
2007128490.tif 000007
【図１９】
2007128490.tif 000008
【図２０】
2007128490.tif 000009
【図２１】
2007128490.tif 000010
【図２２】
2007128490.tif 000011
【図２３】
2007128490.tif 000012
【図２４】
2007128490.tif 000013
【図２５】
2007128490.tif 000014
【図２６】
2007128490.tif 000015
【図２７】
2007128490.tif 000016
【図２８】
2007128490.tif 000017
【図２９】
2007128490.tif 000018
【図３０】
2007128490.tif 000019
【図３１】
2007128490.tif 000020
【図３２】
2007128490.tif 000021
【図２】
2007128490.tif 000022
【図４】
2007128490.tif 000023
【図５】
2007128490.tif 000024
【図６】
2007128490.tif 000025
【図７】
2007128490.tif 000026
【図８】
2007128490.tif 000027
【図９】
2007128490.tif 000028
【図１０】
2007128490.tif 000029
【図１１】
2007128490.tif 000030
【図１２】
2007128490.tif 000031
【図１３】
2007128490.tif 000032
【図１４】
2007128490.tif 000033
【図１５】
2007128490.tif 000034
【図１６】
2007128490.tif 000035